【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
接続されたエンティティのネットワーク内の仮想化ブローカにおいて実装された方法であって、前記方法は、
仮想リソースを作成するための第１の要求を第１のエンティティから受信することであって、前記第１の要求は、前記仮想リソースに関連付けられたコンテキスト情報を含む、ことと、
１つ以上の仮想化サーバ識別子に対する要求を仮想化マネージャに伝送することと、
複数の仮想化サーバ識別子を前記仮想化マネージャから受信することであって、前記複数の仮想化サーバ識別子のそれぞれは、前記仮想リソースを作成することが可能な仮想化サーバに関連付けられている、ことと、
前記コンテキスト情報に基づいて、前記仮想リソースを作成するために複数の仮想化サーバのうちの所与の１つを選択することと、
前記仮想リソースを作成するための第２の要求を前記選択された仮想化サーバに伝送することと
を含む、方法。
【請求項２】
前記複数の仮想化サーバのうちの所与の１つを選択することは、前記所与の仮想化サーバの１つ以上の物理リソースと前記仮想リソースに関連付けられた前記コンテキスト情報とを比較することを含む、請求項１に記載の方法。
【請求項３】
前記仮想リソースが作成されたことを示すものを含む第１の応答を前記選択された仮想化サーバから受信することと、
前記示すものを含む第２の応答を前記第１のエンティティに伝送することと
をさらに含む、請求項１に記載の方法。
【請求項４】
第１の形式の前記第１の応答を第２の形式の前記第２の応答に変換することをさらに含む、請求項３に記載の方法。
【請求項５】
前記仮想リソースを作成するための前記第２の要求は、前記仮想リソースに関連付けられた前記コンテキスト情報のサブセットを含む、請求項１に記載の方法。
【請求項６】
前記コンテキスト情報は、前記要求された仮想リソースのタイプ、前記要求された仮想リソースの量、前記要求された仮想リソースの価格、前記要求された仮想リソースの期待される場所のうちの１つ以上を含む、請求項１に記載の方法。
【請求項７】
コンテキスト更新を前記仮想化マネージャに伝送することをさらに含む、請求項１に記載の方法。
【請求項８】
登録要求を前記仮想化マネージャに伝送することをさらに含み、前記登録要求は、前記仮想化サーバに関連付けられた情報を含む、請求項１に記載の方法。
【請求項９】
接続されたエンティティのネットワーク内の仮想化管理エンティティであって、前記仮想化管理エンティティは、
コンピュータ読み取り可能な命令を実行するように適合されているプロセッサと、
前記プロセッサに通信可能に結合されたメモリであって、コンピュータ読み取り可能な命令を記憶しているメモリと
を備え、
前記命令は、前記プロセッサによって実行されると、
１つ以上の仮想化サーバエンティティ識別子に対する要求を仮想化ブローカエンティティから受信することであって、前記要求は、前記仮想化ブローカエンティティにおいて、仮想リソースを作成するための要求を第１のエンティティから受信したことに応答して、前記仮想化ブローカエンティティによって送信され、前記１つ以上の仮想化サーバエンティティ識別子に対する前記要求は、前記仮想リソースに関連付けられたコンテキスト情報を含む、ことと、
前記コンテキスト情報に基づいて、複数の仮想化サーバエンティティ識別子を決定することであって、前記複数の仮想化サーバエンティティ識別子のそれぞれは、前記仮想リソースを作成可能な仮想化サーバエンティティに関連付けられている、ことと、
前記複数の仮想化サーバエンティティ識別子を前記仮想化ブローカエンティティに伝送することと
を含む動作を前記プロセッサに行わせる、仮想化管理エンティティ。
【請求項１０】
前記メモリは、コンピュータ読み取り可能な命令をさらに記憶しており、
前記命令は、前記プロセッサによって実行されると、
前記仮想化サーバエンティティに関連付けられた１つ以上の物理リソースを登録するための要求を複数の仮想化サーバエンティティのうちの所与の１つから受信することと、
前記仮想化サーバエンティティおよび前記１つ以上の物理リソースに関連付けられた情報を記憶することと
を含む動作を前記プロセッサに行わせる、請求項９に記載の仮想化管理エンティティ。
【請求項１１】
複数の仮想化サーバエンティティ識別子を決定することは、前記複数の仮想化サーバエンティティのうちの１つ以上の物理リソースと前記仮想リソースに関連付けられた前記コンテキスト情報とを比較することを含む、請求項１０に記載の仮想化管理エンティティ。
【請求項１２】
前記メモリは、コンピュータ読み取り可能な命令をさらに記憶しており、
前記命令は、前記プロセッサによって実行されると、
コンテキスト更新を前記仮想化サーバエンティティから受信することと、
前記コンテキスト更新に基づいて、前記仮想化サーバエンティティに関連付けられた記憶された情報を修正することと
を含む動作を前記プロセッサに行わせる、請求項１０に記載の仮想化管理エンティティ。
【請求項１３】
前記メモリは、コンピュータ読み取り可能な命令をさらに記憶しており、
前記命令は、前記プロセッサによって実行されると、
前記仮想化サーバエンティティによって提供される仮想リソースが、第２の仮想化サーバエンティティによって提供されるが、前記仮想化サーバエンティティによってもはや提供されないことを示すコンテキスト更新を前記仮想化サーバエンティティから受信することと、
前記コンテキスト更新に基づいて、前記仮想化サーバエンティティおよび前記仮想リソースに関連付けられた記憶された情報を修正することと
を含む動作を前記プロセッサに行わせる、請求項１０に記載の仮想化管理エンティティ。
【請求項１４】
前記コンテキスト情報は、前記要求された仮想リソースのタイプ、前記要求された仮想リソースの量、前記要求された仮想リソースの価格、前記要求された仮想リソースの期待される場所のうちの１つ以上を含む、請求項９に記載の仮想化管理エンティティ。
【請求項１５】
接続されたエンティティのネットワーク内の仮想化サーバエンティティであって、前記仮想化サーバエンティティは、
コンピュータ読み取り可能な命令を実行するように適合されたプロセッサと、
前記プロセッサに通信可能に結合されたメモリであって、コンピュータ読み取り可能な命令を記憶しているメモリと
を備え、
前記命令は、前記プロセッサによって実行されると、
前記仮想化サーバエンティティの１つ以上の物理リソースを登録するための要求を仮想化管理エンティティに伝送することと、
仮想リソースを作成するための要求を第１のエンティティから受信することであって、前記仮想リソースを作成するための前記要求は、前記仮想リソースに関連付けられたコンテキスト情報を含む、ことと、
前記コンテキスト情報に基づいて、前記仮想リソースを作成するために前記要求を受け入れることを決定することと、
前記仮想リソースを作成することと、
前記仮想リソースが作成されたことを示す応答を前記第１のエンティティに伝送することと
を含む動作を前記プロセッサに行わせる、仮想化サーバエンティティ。
【請求項１６】
前記メモリは、コンピュータ読み取り可能な命令をさらに記憶しており、
前記命令は、前記プロセッサによって実行されると、
前記仮想リソースが作成されたことを示すコンテキスト更新を前記仮想管理エンティティに伝送すること
を前記プロセッサに行わせる、請求項１５に記載の仮想化サーバエンティティ。
【請求項１７】
前記コンテキスト情報は、前記要求された仮想リソースのタイプ、前記要求された仮想リソースの量、前記要求された仮想リソースの価格、前記要求された仮想リソースの期待される場所のうちの１つ以上を含む、請求項１５に記載の仮想化サーバエンティティ。
【請求項１８】
前記メモリは、コンピュータ読み取り可能な命令をさらに記憶しており、
前記命令は、第１のプロセッサによって実行されると、
仮想化ポリシーを前記仮想化管理エンティティから取得すること
を含む動作を前記プロセッサに行わせる、請求項１５に記載の仮想化サーバエンティティ。
【請求項１９】
前記仮想リソースを作成することは、前記仮想化サーバエンティティに関連付けられた１つ以上の物理リソースを前記仮想リソースにマッピングすることを含む、請求項１５に記載の仮想化サーバエンティティ。
【請求項２０】
前記メモリは、コンピュータ読み取り可能な命令をさらに記憶しており、
前記命令は、第１のプロセッサによって実行されると、
前記仮想リソースを更新するための要求を前記第１のエンティティから受信することと、
前記仮想リソースを更新するための前記要求に基づいて、前記仮想リソースに関連付けられた情報を修正することと、
前記仮想リソースが更新されたことを示す第２の応答を前記第１のエンティティに伝送することと
を含む動作を前記プロセッサに行わせる、請求項１５に記載の仮想化サーバエンティティ。